(57)【要約】【課題】非プラグイン式の分電盤や、分電盤以外の接続盤など、すべての電気機器収納用箱にもプラグイン式の配電機器を接続することができ、配線作業性にも優れた接続変換器付き配電機器を提供する。【解決手段】本発明の接続変換器付き配電機器は、電源側をプラグ端子で構成した配電機器１と、その電源側に接続された接続変換器２とからなり、電気機器収納用箱に組み込んで使用される。配電機器１は好ましくは単極分岐ブレーカの複数倍の横幅を備えたものであり、接続変換器２は配電機器１のプラグ端子に挿入される導電バーと、電気機器収納用箱の正面側から両極の電源線の接続操作可能な速結端子またはねじ端子５とを備えたものである。【選択図】図１
2015201909.tif 000002
【特許請求の範囲】
【請求項１】
電源側をプラグ端子で構成した配電機器と、その電源側に接続された接続変換器とからなる接続変換器付き配電機器であって、
接続変換器は配電機器のプラグ端子に挿入される導電バーと、該配電機器を収納する電気機器収納用箱の正面側から両極の電源線の接続操作可能な速結端子またはねじ端子とを備えたものであることを特徴とする接続変換器付き配電機器。
【請求項２】
配電機器が分電盤用感震器であり、接続変換器は感震器の信号線を接続するための制御端子を備えたものであることを特徴とする請求項１記載の接続変換器付き配電機器。
【請求項３】
接続変換器は、配電機器の横幅内に、速結端子またはねじ端子を備え、配電機器の横幅よりも外側に制御端子を備えたものであることを特徴とする請求項２記載の接続変換器付き配電機器。
【請求項４】
接続変換器は、配電機器の横幅内に、速結端子またはねじ端子と制御端子とを備えたものであることを特徴とする請求項２記載の接続変換器付き配電機器。
【請求項５】
接続変換器は、配電機器の側面側となる位置に、速結端子またはねじ端子と制御端子とを備えたものであることを特徴とする請求項２記載の接続変換器付き配電機器。
【発明の詳細な説明】
【技術分野】
【０００１】
本発明は、分電盤などの電気機器収納用箱に組み込んで使用される接続変換器付き配電機器に関するものである。
【背景技術】
【０００２】
分電盤の内部には主要な構成要素である主幹ブレーカや分岐ブレーカの近傍に、分電盤からの配電に関連する配電機器が組み込まれることがある。このような配線機器の一種として、最近では感震器が重要視されている。これは最近主流となっているプラグイン式分電盤に対応するものであり、分岐ブレーカと同様に母線バーにプラグイン接続して使用され、所定震度の地震を検出すると制御信号を発して主幹ブレーカを遮止することができるものである。
【０００３】
しかし旧来のねじ端子式の分電盤に対しては、プラグイン式の分電盤用感震器は組み込むことができなかった。また分電盤がプラグイン式であっても、分岐列が全て分岐ブレーカにより占有されている場合にも、プラグイン式の分電盤用感震器は組み込むことができなかった。
【０００４】
なお特許文献１には、プラグイン式ブレーカの電源接続部をねじ端子に変換する変換装置が開示されている。しかしこの特許文献１の変換装置はブレーカの側面方向からねじ端子を操作する構造であるため、機器が密集した分電盤内部での配線作業性が悪いという問題があった。また分電盤用感震器は制御用の信号線を備えているが、特許文献１の変換装置は感震器を意識したものではないため、信号線の接続についての考慮はなされていない。
【先行技術文献】
【特許文献】
【０００５】
【特許文献１】特開２００４−２５９５５９号公報
【発明の概要】
【発明が解決しようとする課題】
【０００６】
従って本発明の第１の目的は上記した従来の問題点を解決し、非プラグイン式の分電盤や、分電盤以外の接続盤など、すべての電気機器収納用箱にプラグイン式の配電機器を接続することができ、配線作業性にも優れた接続変換器付き配電機器を提供することである。また本発明の第２の目的は、配電機器が分電盤用感震器である場合に、信号線の接続を容易に行えるようにした接続変換器付き配電機器を提供することである。
【課題を解決するための手段】
【０００７】
上記の課題を解決するためになされた本発明は、電源側をプラグ端子で構成した配電機器と、その電源側に接続された接続変換器とからなる接続変換器付き配電機器であって、接続変換器は配電機器のプラグ端子に挿入される導電バーと、該配電機器を収納する電気機器収納用箱の正面側から両極の電源線の接続操作可能な速結端子またはねじ端子とを備えたものであることを特徴とするものである。なお、配電機器は単極分岐ブレーカの整数倍の横幅を備えたものであることが好ましい。
【０００８】
また請求項２のように、配電機器が分電盤用感震器であり、接続変換器は感震器の信号線を接続するための制御端子を備えたものとすることができる。この場合、請求項３のように、接続変換器は、配電機器の横幅内に、速結端子またはねじ端子を備え、配電機器の横幅よりも外側に制御端子を備えたものとすることができる。また請求項４のように、接続変換器は、配電機器の横幅内に、速結端子またはねじ端子と制御端子とを備えたものとすることができる。さらに請求項５のように、接続変換器は、配電機器の側面側となる位置に、速結端子またはねじ端子と制御端子とを備えたものとすることができる。
【発明の効果】
【０００９】
本発明によれば、配電機器が電源側をプラグ端子で構成したプラグイン式である場合に、接続変換器によって電源側を速結端子またはねじ端子とすることができる。従って非プラグイン式の分電盤や、分電盤以外の接続盤など、すべての電気機器収納用箱にプラグイン式の配電機器を接続することが可能となる。しかも接続変換器の両極の電源線は配電機器を収納する電気機器収納用箱の正面側から接続操作可能な構造としたので、配線作業性に優れる利点がある。
【００１０】
また請求項２以下の発明によれば、接続変換器は感震器から引き出された信号線を接続するための制御端子を備えているため、配電機器が分電盤用感震器である場合に信号線の接続を容易に行うことができる。
【図面の簡単な説明】
【００１１】
【図１】第１の実施形態の接続変換器付き配電機器を示す斜視図である。
【図２】第１の実施形態の接続変換器付き配電機器の分解図である。
【図３】第１の実施形態の接続変換器付き配電機器の断面図である。
【図４】接続変換器の分解背面図である。
【図５】接続変換器の背面図である。
【図６】接続変換器の変形例を示す背面図である。
【図７】接続変換器の変形例を示す背面図である。
【図８】第２の実施形態の接続変換器付き配電機器を示す斜視図である。
【図９】第２の実施形態の接続変換器付き配電機器の分解図である。
【図１０】第２の実施形態の接続変換器付き配電機器の断面図である。
【図１１】第３の実施形態を示す斜視図である。
【図１２】第４の実施形態を示す斜視図である。
【図１３】第５の実施形態を示す斜視図である。
【図１４】第６の実施形態を示す斜視図である。
【図１５】第７の実施形態を示す斜視図である。
【図１６】第８の実施形態を示す斜視図である。
【図１７】第８の実施形態を示す斜視図である。
【図１８】第８の実施形態の配電機器を装着する途中の状態を示す斜視図である。
【図１９】第８の実施形態の配電機器を取り外した状態を示す斜視図である。
【図２０】第８の実施形態の接続変換器付き配電機器の断面図である。
【発明を実施するための形態】
【００１２】
以下に本発明の実施形態を示す。
図１は第１の実施形態の接続変換器付き配電機器を示す斜視図、図２はその分解斜視図である。図中、１は配電機器、２は接続変換器であり、配電機器１は分電盤用感震器である。この分電盤用感震器は筐体３の内部に感震センサ（図示せず）及びその制御用基板を内蔵させたもので、感震センサが所定震度以上の揺れを検出したとき、信号を出力して分電盤の主幹ブレーカを遮断させるものである。この遮断の方法は必ずしも特定されるものではないが、大部分の主幹ブレーカは漏電検出機能を備えた漏電ブレーカであるから、分電盤用感震器で疑似漏電を生じさせ、主幹ブレーカを遮断させる方法を採用することができる。
【００１３】
配電機器１である分電盤用感震器の筐体３は、内部に感震センサを収納することができるように、分電盤に用いられる単極分岐ブレーカの複数倍の横幅を備えたものであり、実施形態では２倍の横幅となっている。図２、図３に示すように、筐体３の電源側にはプラグイン式の分岐ブレーカと同様のプラグ端子４が２段に設けられ、感震センサや制御用基板に電源を供給できるようになっている。このため分電盤がプラグイン式である場合には、分電盤用感震器のプラグ端子４を積層式の母線バーに直接接続して使用できるのであるが、本発明では筐体３の電源側に接続変換器２を接続し、非プラグイン式の分電盤や、分電盤以外の接続盤など、すべての電気機器収納用箱にも組み込めるようにした。
【００１４】
接続変換器２は分電盤用感震器の筐体３と同一幅のもので、その内部には２つの電源線接続端子が収納されている。この実施形態の電源線接続端子はねじ端子５であり、分電盤の正面側、すなわち図１〜図３の上面側からねじ６を回転させて接続操作可能となっている。なお７は保護カバーであり、配線作業時には取り外されるものである。
【００１５】
図４、図５に示されるように、接続変換器２の反対側には、配電機器１の２段のプラグ端子４に挿入される２枚の導電バー８，９が設けられている。これらの導電バー８，９は銅バーをコ字状に屈曲させた形状であり、下側片がねじ端子５にリベット等で固定されている。垂直辺はそれぞれ長さが異なっており、異なる高さに上側片がオーバーハングしている。このため分電盤用感震器の２段のプラグ端子４をこれらの導電バー８，９にプラグイン接続することができる。この他にも、導電バーとねじ端子を一体に形成したものでもよい。
【００１６】
なお、図６、図７に示すように、一方の導電バー８は一定位置に固定し、他方の導電バー９を上下反転させて取付けることにより、分電盤用感震器の２段のプラグ端子４の接続位置を変更できるようにすることもできる。図６では右側の導電バーが上下反転されており、図７では左側の導電バーが上下反転されている。
【００１７】
このように構成された接続変換器付き配電機器は、接続変換器２のねじ端子５に電源線をねじ接続することにより、配電機器１である分電盤用感震器を非プラグイン式の分電盤にも組み込めるようにしたものである。またプラグイン式の分電盤のプラグインスペースに余裕がない場合にも、分電盤用感震器を分電盤に組み込むことができる。しかも両極の電源線の接続は電気機器収納用箱である分電盤の正面側から行うことができるので、配線作業性に優れる利点がある。
【００１８】
図８は第２の実施形態の接続変換器付き配電機器を示す斜視図、図９はその分解斜視図、図１０はその断面図である。第２の実施形態は第１の実施形態のねじ端子５を速結端子１０に置換したものである。速結端子１０は電線の先端を挿入孔１１から差し込むだけで、内蔵するバネ１２によって結線することができる端子であり、やはり両極の電源線の接続を分電盤の正面側から行うことができるものである。その他の構成は第１の実施形態と同様であるから、説明を省略する。
【００１９】
上記した第１、第２の実施形態においては、分電盤用感震器のプラグ端子４とは反対側から引き出された信号線１３を主幹ブレーカに接続して使用する。このために分電盤内に信号線１３を配線する必要があるが、以下に示す実施形態では、接続変換器２が感震器の信号線を接続するための制御端子１４を備えている。
【００２０】
図１１に示す第３の実施形態では、接続変換器２が単極分岐ブレーカの３倍の横幅を持ち、２つの電源端子（ねじ端子５）の外側に制御端子１４を備えている。この制御端子１４は中継端子となるもので、分電盤用感震器からの信号線１３が制御端子１４に接続されるとともに、この制御端子１４から主幹ブレーカの一次側やアース端子等に制御用のリード線１５が接続される。
【００２１】
図１２に示す第４の実施形態では、接続変換器２の側面側となる位置に、２つの電源端子（ねじ端子５）と制御端子１４とが階段状に形成されている。このように階段状とすると、配線作業性が高まる。制御端子１４には分電盤用感震器からの信号線１３とリード線１５とを共締めすることとなるので、制御端子１４を一番上に設けることが好ましい。
【００２２】
図１３に示す第５の実施形態では、接続変換器２の横幅を配電機器１である分電盤用感震器の横幅と同一とし、２つの電源端子（ねじ端子５）の側方に制御端子１４を配置したものである。接続変換器２の前側に各端子が揃っているので、配線作業性がよい。
【００２３】
図１４に示す第６の実施形態では、この２つの電源端子（ねじ端子５）の側部には接続変換器２の側面側となる位置に、互いに接続された２つの制御端子１４とが設けられている。２つの制御端子１４は一方は分電盤用感震器からの信号線１３を接続するために用いるもので、他方はリード線１５を接続するために用いる。後側が信号線１３用である。この構造は同一端子に信号線１３とリード線１５とを共締めする必要がないので、配線作業性がよい。
【００２４】
図１５に示す第７の実施形態では、接続変換器２に２つの電源端子（ねじ端子５）と、互いに接続された２つの制御端子１４とが上下２段に設けられている。上段が電源端子であり、下段が制御端子１４である。２つの制御端子１４の一方は分電盤用感震器からの信号線１３を接続するために用いるものであり、他方はリード線１５を接続するために用いるものである。
【００２５】
図１６から図２０に示す第８の実施形態では、接続変換器２が配電機器取付部２０を構成したものである。配電機器取付部２０は、接続変換部の下部に平板状に構成され、配電機器を装着する際の規制部２１と、配電機器の取付片部が嵌り込む機器係合部２２と、この配電機器取付部２０を盤内の取り付け箇所にねじ止めするためにねじ孔２３を設けた固定片部２４、レール取付部２５とを備えるものである。
【００２６】
このようなものでは、盤内の分岐ブレーカなどの取り付け箇所以外にねじ止めなどの取付方法で取付けるのに適している。なお、この実施形態では接続変換器２を配電機器取付部２０と一体に構成したものであるが、別体に構成したものを取り付けによって一体化させてもよい。
【００２７】
以上に説明した本発明の接続変換器付き配電機器によれば、非プラグイン式の分電盤や、分電盤以外の接続盤など、すべての電気機器収納用箱にもプラグイン式の配電機器を接続することが可能となる。しかも接続変換器の両極の電源線は配電機器を収納する電気機器収納用箱の正面側から接続操作可能な構造としたので、配線作業性に優れる利点がある。
【符号の説明】
【００２８】
１  配電機器（分電盤用感震器）
２  接続変換器
３  筐体
４  プラグ端子
５  ねじ端子
６  ねじ
７  カバー
８  導電バー
９  導電バー
１０  速結端子
１１  挿入孔
１２  バネ
１３  信号線
１４  制御端子
１５  リード線
２０  配電機器取付部
２１  規制部
２２  機器係合部
２３  ねじ孔
２４  固定片部
２５  レール取付部
【図１】
2015201909.tif 000003
【図２】
2015201909.tif 000004
【図３】
2015201909.tif 000005
【図４】
2015201909.tif 000006
【図５】
2015201909.tif 000007
【図６】
2015201909.tif 000008
【図７】
2015201909.tif 000009
【図８】
2015201909.tif 000010
【図９】
2015201909.tif 000011
【図１０】
2015201909.tif 000012
【図１１】
2015201909.tif 000013
【図１２】
2015201909.tif 000014
【図１３】
2015201909.tif 000015
【図１４】
2015201909.tif 000016
【図１５】
2015201909.tif 000017
【図１６】
2015201909.tif 000018
【図１７】
2015201909.tif 000019
【図１８】
2015201909.tif 000020
【図１９】
2015201909.tif 000021
【図２０】
2015201909.tif 000022